(57)【要約】【課題】排水弁体を瞬時に大きく開弁することができると共に、排水弁装置近傍に比較的広いスペースを確保することができ、少ない力で排水能力を向上することができる便器洗浄水タンク装置を提供すること。【解決手段】中央に排水口１２を有する洗浄水タンク本体１０中に、排水口１２に対して排水弁体３５が上下動する排水弁装置３０と、同排水弁装置３０に連動連結した梃子装置４０と、を載置収納すると共に、洗浄水タンク本体１０のタンク蓋体１１には、洗浄水タンク本体１０内の梃子装置４０と連動連接した押しボタン５０を設けてなる便器洗浄水タンク装置１００において、押しボタン５０は、排水口１２位置よりも一側方にオフセットした位置に配設すべく構成し、梃子装置４０は、排水弁体３５に連動連結したレバー４１と、同レバー４１中途を枢支したペデスタル４２とより構成すると共に、同ペデスタル４２は、排水弁装置３０よりも押しボタン５０側に近い位置においてレバー４１中途を枢支したことを特徴とする。【選択図】図２
2008214873.tif 000002
【特許請求の範囲】
【請求項１】
中央に排水口を有する洗浄水タンク本体中に、前記排水口に対して排水弁体が上下動する排水弁装置と、同排水弁装置に連動連結した梃子装置と、を載置収納すると共に、
前記洗浄水タンク本体のタンク蓋体には、前記洗浄水タンク本体内の前記梃子装置と連動連接した押しボタンを設けてなる便器洗浄水タンク装置において、
前記押しボタンは、前記排水口位置よりも一側方にオフセットした位置に配設すべく構成し、
前記梃子装置は、前記排水弁体に連動連結したレバーと、同レバー中途を枢支したペデスタルとより構成すると共に、
同ペデスタルは、前記排水弁装置よりも前記押しボタン側に近い位置においてレバー中途を枢支したことを特徴とする便器洗浄水タンク装置。
【請求項２】
前記梃子装置の前記ペデスタル下方には、高さ調整機構を設けたことを特徴とする請求項１に記載の便器洗浄水タンク装置。
【請求項３】
前記梃子装置の前記ペデスタル下端には、左右分岐脚体と、中央背後脚体とよりなる三方脚体を連設したことを特徴とする請求項１又は請求項２に記載の便器洗浄水タンク装置。
【請求項４】
前記高さ調整機構は、前記三方脚体の接地面と前記洗浄水タンク本体の内底面との間隔を調整すべく、前記三方脚体に着脱自在に装着し得る調整ブロックよりなることを特徴とする請求項２又は請求項３に記載の便器洗浄水タンク装置。
【請求項５】
前記梃子装置のレバーに前記押しボタンの押下作動を受動するレバー受動部を設け、このレバー受動部は調整ワッシャを介して前記レバーに対する取付け上下位置が調整自在に構成されていることを特徴とする請求項１ないし請求項４のいずれか１つに記載の便器洗浄水タンク装置。
【請求項６】
前記排水弁装置のケーシング下部と前記梃子装置の前記ペデスタル下部とを連結するためのペデスタルステーは、一端を前記ケーシング下部に着脱自在な嵌込み構造とし、他端は前記ペデスタル下端の挿入孔に嵌め込まれる支軸を立設し、この支軸は前記挿入孔に上下方向に所定長さ揺動可能となるよう嵌め込み固定されていることを特徴とする請求項１ないし請求項５のいずれか１つに記載の便器洗浄水タンク装置。
【請求項７】
前記排水弁装置のケーシング下部と前記梃子装置の前記ペデスタル下部とを連結するためのペデスタルステーは、一端を前記ケーシング下部に着脱自在な嵌込み構造とし、他端は前記ペデスタル下端の挿入孔に嵌め込まれる支軸を立設し、この支軸は前記挿入孔の内周面と所定の隙間を持って遊嵌されていることを特徴とする請求項１ないし請求項６のいずれか１つに記載の便器洗浄水タンク装置。
【発明の詳細な説明】
【技術分野】
【０００１】
本発明は、排水のための押しボタンが梃子装置を介して排水弁体に大きく作用できるようにした便器洗浄水タンク装置に関する。
【背景技術】
【０００２】
従来、便器洗浄水タンク装置は、特許文献１に記載されているように、排水口に対して排水弁体を上下動させて開閉弁作用を行う排水弁装置と、同排水弁装置とタンク蓋体に設けた排水用の押しボタンとの間に介設した梃子装置と、を洗浄水タンク中に載置収納したものが知られている。
【０００３】
かかる従来の便器洗浄水タンク装置に備えられた梃子装置は、排水弁体装置と押しボタンとの間に設けたペデスタルと、同ペデスタル上端に枢支され、一端を押しボタンに連動連結し他端を排水弁体に連動連結したレバーとよりなり、押しボタンを押圧することにより、レバーをペデスタルとの枢支点を中心として回動させて、力点となる押しボタン側のレバー一端を下方に押圧回動させる一方、作用点となる排水弁体側のレバー他端を上方に回動させて、排水弁体を引上げて排水口を開放し、洗浄水を排水するものである。
【特許文献１】実開昭５２−６９８４１号公報
【発明の開示】
【発明が解決しようとする課題】
【０００４】
しかしながら、かかる従来の便器洗浄水タンク装置に備えられた梃子装置では、レバーのペデスタルとの枢支点が、押しボタンよりも排水弁装置に近い位置に配置されており、枢支点から作用点までの距離が、力点までの距離よりも短いため、押しボタンを押圧しても排水弁体を引上げる量が比較的に小さく制限され、また、排水弁装置と梃子装置との間のスペースが狭小となることに伴い排水口径を比較的に小さく設定せざるを得ず、この結果、瞬間的な排水量が少なくなり排水能力が低下していた。
【０００５】
一方、近年、トイレ空間の有効利用やデザイン性向上の観点から便器洗浄水タンクの高さを低く抑える場合が多く、この場合、洗浄水タンク内の貯水水位が下がり水頭圧が小さくなる。このため、上記した従来の梃子装置を用いた場合には、排水弁体の引き上げ量、排水口径が制限されるので、便器に供給される洗浄水の水勢が減少し、所望の排水能力を確保することができなかった。
【０００６】
そこで、本発明は、排水弁体を瞬時に大きく開弁することができると共に、排水弁装置近傍に比較的広いスペースを確保することができ、少ない力で排水能力を向上することができる便器洗浄水タンク装置を提供することを目的とする。
【課題を解決するための手段】
【０００７】
上記目的を達成するため、請求項１記載の発明は、中央に排水口を有する洗浄水タンク本体中に、前記排水口に対して排水弁体が上下動する排水弁装置と、同排水弁装置に連動連結した梃子装置と、を載置収納すると共に、前記洗浄水タンク本体のタンク蓋体には、前記洗浄水タンク本体内の前記梃子装置と連動連接した押しボタンを設けてなる便器洗浄水タンク装置において、前記押しボタンは、前記排水口位置よりも一側方にオフセットした位置に配設すべく構成し、前記梃子装置は、前記排水弁体に連動連結したレバーと、同レバー中途を枢支したペデスタルとより構成すると共に、同ペデスタルは、前記排水弁装置よりも前記押しボタン側に近い位置においてレバー中途を枢支したことを特徴とする。
【０００８】
また、請求項２記載の発明は、前記梃子装置の前記ペデスタル下方には、高さ調整機構を設けたことを特徴とする。
【０００９】
また、請求項３記載の発明は、前記梃子装置の前記ペデスタル下端には、左右分岐脚体と、中央背後脚体とよりなる三方脚体を連設したことを特徴とする。
【００１０】
また、請求項４記載の発明は、前記高さ調整機構は、前記三方脚体の接地面と前記洗浄水タンク本体の内底面との間隔を調整すべく、前記三方脚体に着脱自在に装着し得る調整ブロックよりなることを特徴とする。
【００１１】
また、請求項５記載の発明は、前記梃子装置のレバーに前記押しボタンの押下作動を受動するレバー受動部を設け、このレバー受動部は調整ワッシャを介して前記レバーに対する取付け上下位置が調整自在に構成されていることを特徴とする。
【００１２】
また、請求項６記載の発明は、前記排水弁装置のケーシング下部と前記梃子装置の前記ペデスタル下部とを連結するためのペデスタルステーは、一端を前記ケーシング下部に着脱自在な嵌込み構造とし、他端は前記ペデスタル下端の挿入孔に嵌め込まれる支軸を立設し、この支軸は前記挿入孔に上下方向に所定長さ移動可能となるよう嵌め込み固定されていることを特徴とする。
【００１３】
また、請求項７記載の発明は、前記排水弁装置のケーシング下部と前記梃子装置の前記ペデスタル下部とを連結するためのペデスタルステーは、一端を前記ケーシング下部に着脱自在な嵌込み構造とし、他端は前記ペデスタル下端の挿入孔に嵌め込まれる支軸を立設し、この支軸は前記挿入孔の内周面と所定の隙間を持って遊嵌されていることを特徴とする。
【発明の効果】
【００１４】
請求項１記載の発明によれば、押しボタンは、排水口位置よりも一側方にオフセットした位置に配設すべく構成し、梃子装置は、排水弁体に連動連結したレバーと、同レバー中途を枢支したペデスタルとより構成すると共に、同ペデスタルは、排水弁よりも押しボタン側に近い位置においてレバー中途を枢支したために、レバーの枢支部を中心にしてレバーの力点までよりもレバーの梃子としての作用点までの距離が長いため、少ない押しボタンの押し下げ量（ストローク）で作用点のレバー一端を大きく作動させ一気にオーバーフロー管を上昇させて排水弁体を瞬時に大きく開弁することができると共に、排水弁装置近傍に比較的広いスペースが確保されて排水口径を比較的大きく採ることができるという効果がある。
【００１５】
請求項２記載の発明によれば、梃子装置のペデスタル下方に高さ調整機構を設けたことにより、ぺデスタル下端部と洗浄水タンク本体の内底面との間隙を調整することができ、最終的には三方脚体の各脚体と不均一な内底面のレベルとの間隙を調整して三方脚体間の高さのバランスを調整しガタを吸収可能とすると共に、全体的なぺデスタルの高さの微調整も行うことができる効果がある。
【００１６】
請求項３記載の発明によれば、梃子装置のペデスタル下端には、左右分岐脚体と、中央背後脚体とよりなる三方脚体を連設したことにより、簡単な構造で梃子装置の安定性を確保することができる効果がある。
【００１７】
請求項４記載の発明によれば、高さ調整機構は、三方脚体の接地面と洗浄水タンク本体の内底面との間隔を調整すべく、三方脚体に着脱自在に装着し得る調整ブロックよりなるために、調整ブロックの中空矩形状枠の各側壁の厚みを異なるように構成することにより側壁の厚みを選択して載置部と洗浄水タンク本体の内底面との間隙を調整しガタを吸収し全体的なぺデスタルの高さの微調整も行うことができる効果がある。
【００１８】
また、請求項５記載の発明によれば、梃子装置のレバーに押しボタンの押下作動を受動するレバー受動部を設け、このレバー受動部は調整ワッシャを介してレバーに対する取付け上下位置を調整自在としたために、押しボタンとレバー受動部との相対的な位置関係を簡単に調整することができ、押しボタンがレバー受動部と当接するタイミングを簡単に調整することができる効果がある。
【００１９】
請求項６記載の発明よれば、排水弁装置のケーシング下部と梃子装置のペデスタル下部とを連結するためのペデスタルステーは、一端をケーシング下部に着脱自在な嵌込み構造とし、他端はペデスタル下端の挿入孔に嵌め込まれる支軸を立設し、この支軸は挿入孔に上下方向に所定長さ移動可能となるよう嵌め込み固定できるように構成しているために、ぺデスタルの上下位置セッティングに伴い生起する上下方向の誤差を吸収することができる効果がある。
【００２０】
請求項７記載の発明よれば、排水弁装置のケーシング下部と梃子装置のペデスタル下部とを連結するためのペデスタルステーは、一端をケーシング下部に着脱自在な嵌込み構造とし、他端はペデスタル下端の挿入孔に嵌め込まれる支軸を立設し、この支軸は前記挿入孔の内周面と所定の隙間を持って遊嵌されているために、ペデスタルの上下位置セッティングを行う際にペデスタルステーが傾いた状態で配置されたとしても、このペデスタルステーの傾きを隙間により吸収することができる効果がある。
【発明を実施するための最良の形態】
【００２１】
以下に、本発明の実施例について図面を参照しながら説明する。図１は、本発明を適用した便器洗浄水タンク装置１００を備えた便器Ａの概略を示す斜視図、図２は便器洗浄水タンク装置１００の排水操作前の状態を示す断面正面図、図３は図１に示した便器洗浄水タンク装置１００の排水操作時の状態を示す断面正面図である。
【００２２】
図１〜図３に示すように、本発明の便器洗浄水タンク装置１００は、便器Ａの便器本体Ｂ後面に装着されて便器本体Ｂに洗浄水を供給するために設けられるものであり、この便器洗浄水タンク装置１００は、便器Ａへ供給するための洗浄水を貯留する洗浄水タンク本体１０と、洗浄水タンク本体１０内に収納され、同タンク本体１０に水を供給する給水装置２０と、洗浄水タンク本体１０内に収納され、同タンク本体１０内に蓄えられた水を便器Ａに向けて排出する排水弁装置３０と、洗浄水タンク本体１０内に収納され、排水弁装置３０に連動連結した梃子装置４０と、タンク蓋体１１の右側部に配設し梃子装置４０に連動連接した押しボタン５０とよりなる。図１中、Ｃは、洗浄水タンク本体のタンク蓋体１１上面に施した波紋状の模様である。
【００２３】
洗浄水タンク本体１０は、略扁平箱型に形成しており、給水源（図示せず）から供給された水を貯留すると共に、この洗浄水を便器本体Ｂへ向けて排水するためのものである。また、同タンク本体１０の内底面１０ａ中央には、排水口１２が設けられ、洗浄水タンク本体１０の上方開口部にはタンク蓋体１１が開蓋自在に閉蓋されており、タンク蓋体１１の右側部には押しボタン５０が配設されている。すなわち、この押しボタン５０は排水口１２の位置から一側方にオフセットした位置に配設されている。
【００２４】
更に、洗浄水タンク本体１０内には、同タンク本体１０内部に水を供給する給水装置２０が収納されており、給水装置２０は、洗浄水タンク本体１０内の左側方に立設され、下端を給水源と接続した給水管２１と、洗浄水タンク本体１０へ向けた吐水・止水を切替えるべく給水管２１の上端に設けた給水バルブ２２と、洗浄水タンク本体１０内の水位の変動に応じた上下動によって給水バルブ２２の吐水・止水の切替え作動を行うフロート部２３と、給水バルブ２２からの吐水を行う吐水管（図示せず）を有している。また、給水装置２０から延設されたリフィール管２４の先端には継手２４ｂが設けられており、この継手を後述するリフィール管保持部２４ａへ差し込むことによって、排水弁装置３０のオーバーフロー管３３上端の開口部３３ａに対向して洗浄水タンク本体１０の排水口１２に連通している。
【００２５】
次に、排水弁装置３０について説明する。
洗浄水タンク本体１０の中央に設けた排水口１２の内周面には、排水弁装置３０のケーシングとなる排水ガイド筒３１を洗浄水タンク本体１０内部に立設した状態で嵌着し、排水ガイド筒３１の上部にはフロート収納シリンダ３２を一体に連設し、同ガイド筒３１とフロート収納シリンダ３２の中央にはオーバーフロー管３３が上下昇降自在に収納されている。オーバーフロー管３３はその周面にフロート３４を連設しており、従って、フロート３４の昇降に応じてオーバーフロー管３３も昇降する。
【００２６】
オーバーフロー管３３の下端には、排水口１２の開閉を行う排水弁体３５が設けられ、同排水弁体３５は排水ガイド筒３１の下部内周面に形成した排水口弁座３６に当接自在となっている。従って、オーバーフロー管３３が上昇することによってその下端の排水弁体３５は排水口弁座３６から離脱し排水口１２を開放して排水が開始される一方、オーバーフロー管３３が降下することによってその下端の排水弁体３５は排水口弁座３６に当接密着し排水口１２を閉塞して排水が停止する。すなわち、排水弁体３５は、排水ガイド筒３１内において、排水口弁座３６より上方の範囲で昇降作動する。
【００２７】
また、排水弁体３５の昇降作動範囲に対応する排水ガイド筒３１の周壁には、入水窓３１ａが四側方に開孔されている。排水口１２の開弁状態、すなわち、排水弁体３５が排水口弁座３６から離脱し排水口１２を開放した状態では、洗浄水タンク本体１０内の洗浄水は、この入水窓３１ａを通過して排水ガイド筒３１内へ流入し、排水口１２から排水される。
【００２８】
図２及び図３中、３７は、オーバーフロー管３３の上端に取付けた連結ステーであり、フロート３４の浮力をオーバーフロー管３３に伝達するためのものである。３８は、フロート収納シリンダ３２の内底部中央に立設したガイド筒であり、オーバーフロー管３３の昇降をガイドする。３９は、排水ガイド筒３１の下部と洗浄水タンク本体１０の内底面１０ａとの間に介設されたシール部材であり、排水ガイド筒３１を排水口１２に対して密着嵌合できるようにしている。２４ａは、給水装置２０のフロート収納シリンダ３２周壁に立設し、オーバーフロー管３３の上方でリフィール管２４を保持するためのリフィール管保持部である。
【００２９】
次に、梃子装置４０について説明する。梃子装置４０は、一端４１ａを排水弁装置３０のオーバーフロー管３３上端に係合し、他端を押しボタン５０に当接したレバー４１と、レバーの中途を枢支したぺデスタル４２とよりなる。
【００３０】
すなわち、レバー４１の一端、すなわち梃子の作用点４１ａはオーバーフロー管３３を介して排水弁体３５を開閉し、レバー４１の他端、すなわち梃子の力点４１ｂは洗浄水タンク本体１０のタンク蓋体１１右側部に配設した押しボタン５０に当接してボタン５０の押圧によりレバー４１を作動させ、レバー４１の中途の枢支部、すなわち梃子の支点４１ｃは、レバー４１の中途をぺデスタル４２に支持させる。
【００３１】
図４は、梃子装置４０の前方側から観た分解斜視図であり、図５は、梃子装置４０の後方側から観た分解斜視図である。図４及び図５に示すように、レバー４１の中途を枢支したぺデスタル４２は、支柱の下部に左右に分岐した左右分岐脚体４３ａと、分岐中央の後方に延設した中央背後脚体４３ｂとよりなるスフインクス座風の三方脚体４３を有し、支柱上端にレバー４１の中途が枢支された構成としている。左右分岐脚体４３ａは、レバー４１の作用点４１ａ側の下方にて洗浄水タンク本体１０の内底面１０ａに接地する位置に配設され、中央背後脚体４３ｂは、レバー４１の力点４１ｂ側の下方にて洗浄水タンク本体１０の内底面１０ａに接地する位置に配設されている。三方脚体４３は、左右分岐脚体４３ａ及び中央背後脚体４３ｂが、かかる接地位置に配設されることにより梃子装置４０の安定性を確保することができる。
【００３２】
このように、梃子装置４０は、排水弁装置３０と押しボタン５０との間に位置しており、しかも、レバー４１の枢支部たる支点４１ｃは排水弁装置３０よりも押しボタン５０側に近い位置に配置しておくことにより、レバー４１の梃子作用による押しボタン５０のわずかな力点４１ｂのストロークを枢支部の支点４１ｃを介して排水弁装置３０の排水作動に作用点４１ａのストロークとして大きく作用させ、排水口１２から排水される洗浄水に対して瞬間最大水量を確保できるようにしている。
【００３３】
また、レバー４１の枢支部たる支点４１ｃが排水弁装置３０よりも押しボタン５０側に近い位置に配置されることにより、排水弁装置３０と梃子装置４０との間に比較的に広いスペースを確保することができ、排水口１２の径を比較的大きく採ることができ、排水能力を向上させることができる。
【００３４】
特に、排水弁装置３０の入水窓３１ａと、梃子装置４０の三方脚体４３との間のスペースを広くとることにより、梃子装置４０の三方脚体４３側の入水窓３１ａを介して洗浄水が排水ガイド筒３１内へ流入し易くなるので、排水能力をより一層向上させることができる。
【００３５】
図中、４４は、レバー４１中途に形成した軸孔、４５は、ペデスタル４２上端に立設した二又フランジ、４６は、同フランジ４５間に架設した支軸であり、レバー４１の軸孔４４を介してレバー４１をペデスタル４２上端の二又フランジ４５間に枢支するためのものである。
【００３６】
オーバーフロー管３３側に位置するレバー４１の一端（作用点４１ａ）には、二又状のフォーク部４７を形成し、このフォーク部４７の二又間にオーバーフロー管３３の上端部腕部（図示せず）を狭持係合している。一方、押しボタン５０下方に位置するレバー４１の他端（力点４１ｂ）は縦方向の挿入孔４８を形成して、その上端に円盤状のレバー受動部としてのレバー受動盤４９を載設しており、レバー受動盤４９の下面には支柱６１を垂設している。レバー４１の他端（力点４１ｂ）とレバー受動盤４９とは、支柱６１を挿入孔４８に挿入した状態で、支柱６１の下方に設けられた周溝６１ａの任意の位置を止輪６８で掛止することにより固定される
【００３７】
支柱６１の周面には多数の調整ワッシャ６２を取外し自在に装着することにより挿入孔４８の開口上端面とレバー受動盤４９との間に調整ワッシャ６２を介在してレバー受動盤４９のレバー４１に対する取付け上下位置調整ができるように構成している。このようにレバー受動盤４９のレバー４１に対する取付け上下位置調整をすることにより、押しボタン５０とレバー受動盤４９との相対的な位置関係を調整して押しボタン５０がレバー受動盤４９に当接するタイミングの調整を図る。
【００３８】
また、三方脚体４３の下端部は洗浄水タンク本体１０の内底面１０ａに沿った断面矩形状の載置部６３としており、この載置部６３には高さ調整機構が設けられている。高さ調整機構は、断面矩形状の載置部６３外周に嵌着自在な形状、すなわち、中空矩形状枠に形成した調整ブロック６４よりなり、調整ブロック６４の中空矩形状枠の各四側壁６４ａ，６４ｂ，６４ｃ，６４ｄはそれぞれ厚みが異なるように構成されている。従って、調整ブロック６４を載置部６３に嵌着する際に下面に位置する四側壁６４ａ，６４ｂ，６４ｃ，６４ｄの厚みをいずれか１つ選択することにより載置部６３と洗浄水タンク本体１０の内底面１０ａとの間隙を調整することができ、最終的には三方脚体４３の各脚体４３ａ，４３ｂと不均一な内底面１０ａのレベルとの間隙を調整して三方脚体４３間の高さのバランスを調整しガタを吸収可能とすると共に、全体的なぺデスタル４２の高さの微調整も行うことができる。
【００３９】
また、排水弁装置３０の排水ガイド筒３１と梃子装置４０との間には、ぺデスタルステー６５が介在されて排水弁装置３０の排水ガイド筒３１下部と梃子装置４０のペデスタル４２下部とを連結すると共にその間隔を一定距離に保持することができるように構成されている。すなわち、ペデスタル４２下端、すなわち、支柱下端には支軸６５ｂを下方より挿入するための挿入孔４２ａを開口している。一方、ぺデスタルステー６５は一端を排水ガイド筒３１下部の側壁に形成された突起３１ｂに嵌着自在な嵌着孔６５ａとすると共に、他端はぺデスタル４２下端、すなわち、支柱下端に形成した挿入孔４２ａに嵌め込み自在な支軸６５ｂを立設している。支軸６５ｂは、上端を逆Ｕ字状の帯状体とし、この帯状体の幅員は支軸６５ｂの上端に向って先細りとなるテーパー状を成している。支軸６５ｂはかかるテーパー状を成していることにより、挿入孔４２ａの内周面と所定の隙間を持って遊嵌されることとなり、この隙間は、ペデスタル４２の上下位置セッティングを行う際に生じるペデスタルステー６５の傾きを吸収するようになっている。
【００４０】
また、ぺデスタル４２下端、すなわち、支柱下端には支軸６５ｂを下方より挿入するための挿入孔４２ａを開口している。
【００４１】
従って、ぺデスタルステー６５を排水弁装置３０と梃子装置４０との間に介設するためには、まず同ステー６５の一端に排水弁装置３０の排水ガイド筒３１の突起３１ｂを嵌着して連結すると共に同ステー６５の他端の支軸６５ｂをぺデスタル４２の下端に形成した挿入孔４２ａに挿入してぺデスタルステー６５を介設する。ペデスタル４２の下部側壁には横孔４２ｂが穿設されており、同横孔４２ｂには別途設けた挿しこみ自在のピン６６が挿入され、予めペデスタル４２の挿入孔４２ａに遊嵌されている支軸６５ｂに穿設された長孔形状の係合孔部６５ｃと係合してぺデスタルステー６５に立設した支軸６５ｂの抜け止めを行う。支軸６５ｂの抜け止めを行っても、係合孔部６５ｃが長孔形状に形成されていることにより、支軸６５ｂは、挿入孔４２ａに上下方向に所定長さ、すなわち、係合孔部６５ｃの孔幅だけ揺動可能となるよう嵌め込み固定されることとなる。かかる態様で支軸６５ｂが挿入孔４２ａに対して嵌め込み固定されていることにより、ぺデスタル４２の上下位置セッティングに伴い生起する上下方向の誤差を吸収することができる。
【００４２】
図中、６７は、ピン６６基部の両側方にピン６６と平行に連結した係合ピン６７であり、先端は膨出して係合突部６７ａとしており、ピン６６を横孔４２ｂに挿入した場合に両側方の係合ピン６７がペデスタル４２の両側壁に刻設した溝部４２ｃに嵌着され、かつ係合突部６７ａが溝部４２ｃ奥のペデスタル４２側壁に係合してピン６６の挿し込み固定を行う。
【００４３】
次に、梃子装置４０と連動連接した押しボタン５０について説明する。
図１〜図３に示すように、押しボタン５０は、前述した通り洗浄水タンク本体１０のタンク蓋体１１右側部、すなわち、排水口１２の位置よりも右側方にオフセットした位置に配設されている。タンク蓋体１１には押しボタン挿通孔５１が穿設されており、同孔５１には円筒状で上端縁に係合フランジ５２を有する有底状の押しボタンケース５２ａが垂設されており、この押しボタンケース５２ａの周面の雄ネジにナット５３が螺合して上記係合フランジ５２をタンク蓋体１１に密着して固定している。同ケース５２ａ内には押しボタン本体５４が挿入され同ボタン本体５４と押しボタンケース５２ａの内底面との間にはスプリング５５が介在している。押しボタン本体５４の下面にはプランジャ５６が垂設され、プランジャ５６下端部には当接部材５７が設けられており、当接部材５７は梃子装置４０のレバー４１の一端に設けたレバー受動盤４９と当接自在となっている。
【００４４】
［作動説明］
図２に示すように排水口１２を閉塞した状態、すなわち、排水弁体３５が排水ガイド筒３１の排水口弁座３６に着座した状態では梃子装置４０のレバー４１は押しボタン本体５４の当接部材５７と当接した状態であり、かつ洗浄水タンク本体１０内には洗浄水が所定位置まで満杯状態となっている。
【００４５】
かかる状態で押しボタン本体５４を押圧すると当接部材５７がレバー受動盤４９を押し下げ、図３に示すように梃子装置４０のレバー４１が枢支部４１ｃを中心に左端を上昇した傾斜状となる。レバー４１の一端に設けられた二又状のフォーク部４７はオーバーフロー管３３周壁と係合しながら同管を引き上げる。同管３３の引き上げと同時にフロート３４も引き上げられ、かつ同管３３下端の排水弁体３５も排水ガイド筒３１内で引き上げられて排水ガイド筒３１の周壁の所定の入水窓から排水口１２に向って洗浄水が排水されるものである。
【００４６】
なお、押圧した押しボタン本体５４はスプリング５５により復元するが排水弁体３５を開弁して一旦排水状態としたオーバーフロー管３３はフロート３４の浮力により上昇したままであり、排水に伴いフロート３４が死水線位置に降下するまでフロート３４は降下し続けそれに伴いレバー４１も排水口１２の閉塞状態のレバー位置に近づき排水弁体３５が排水口１２を閉弁したときにはレバー４１は排水開始前のタンク満杯状態の位置に復元する（図２参照）。
【００４７】
このように押しボタン５０を押圧して枢支部４１ｃを中心にレバー４１を回動させ、オーバーフロー管３３を介した排水弁体３５の開閉弁作動を行う場合において、排水弁装置３０よりも押しボタン５０側に近い位置にレバー４１の枢支部４１ｃが設けられているため、結局、レバー４１の枢支部４１ｃを中心にしてレバー４１の力点４１ｂまでの距離よりもレバー４１の梃子としての作用点４１ａまでの距離が長く構成されていることになる。従って、少ない押しボタン５０の押し下げ量（ストローク）で作用点４１ａのレバー一端を大きく作動させ一気にオーバーフロー管３３を上昇させて排水弁体３５を瞬時に大きく開弁作動させることができると共に、排水弁装置３０近傍に比較的に広いスペースが確保されて排水口１２の径を比較的大きく採ることができ、排水能力を高めることができる効果がある。
【００４８】
本発明の実施の形態に記載された効果は、本発明から生じる最も好適な効果を列挙したに過ぎず、本発明による効果は、実施の形態に記載されたものに限定されるものではない。
【図面の簡単な説明】
【００４９】
【図１】本発明を適用した便器洗浄水タンク装置を備えた便器の概略を示す斜視図である。
【図２】図１に示した便器洗浄水タンク装置の排水操作前の状態を示す断面正面図である。
【図３】図１に示した便器洗浄水タンク装置の排水操作時の状態を示す断面正面図である。
【図４】図１に示した便器洗浄水タンク装置に備えられた梃子装置４０の前方側から観た分解斜視図である。
【図５】図１に示した便器洗浄水タンク装置に備えられた梃子装置４０の後方側から観た分解斜視図である。
【符号の説明】
【００５０】
１０ａ  洗浄水タンク本体の内底面
１１    タンク蓋体
１２    排水口
３０    排水弁装置
３１    ケーシング（排水ガイド筒）
３５    排水弁体
４０    梃子装置
５０    押しボタン
４１    レバー
４２    ペデスタル
４２ａ  挿入孔
４３    三方脚体
４３ａ  左右分岐脚体
４３ｂ  中央背後脚体
４９    レバー受動部（レバー受動盤）
６２    調整ワッシャ
６４    調整ブロック（高さ調整機構）
６５    ペデスタルステー
６５ｂ  支軸
【図１】
2008214873.tif 000003
【図２】
2008214873.tif 000004
【図３】
2008214873.tif 000005
【図４】
2008214873.tif 000006
【図５】
2008214873.tif 000007